(57)【要約】【課題】炊飯動作中の誤操作・誤作動による蓋体の開放を防止すること。【解決手段】本発明にかかる炊飯器は、内部に加熱手段を有し、上面に形成された開口から内釜を出し入れ可能に収容する本体と、前記本体に軸支され前記開口を開閉する蓋体と、前記蓋体が前記開口を閉じた状態で前記本体に係合する蓋体係合手段と、前記蓋体係合手段を解除する蓋体開放ボタンと、前記本体に回動自在に軸支されたハンドルを有し、前記蓋体が前記開口を閉じた状態で、前記ハンドルで前記蓋体をロックすることで、蓋体の開放を抑止するハンドルロック機構を備え、前記ハンドルロック機構の保持力は前記蓋体係合手段の係合が解除された時の前記蓋体の開放力よりも大きくすることにより、課題を解決する。【選択図】図４
2010246641.tif 000002
【特許請求の範囲】
【請求項１】
内部に加熱手段を有し、上面に形成された開口から内釜を出し入れ可能に収容する本体と、前記本体に軸支され前記開口を開閉する蓋体と、前記蓋体が前記開口を閉じた状態で前記本体に係合する蓋体係合手段と、前記蓋体係合手段を解除する蓋体開放ボタンと、前記本体に回動自在に軸支されたハンドルを有し、
前記蓋体が前記開口を閉じた状態で、前記ハンドルで前記蓋体をロックすることで、蓋体の開放を抑止するハンドルロック機構を備え、前記ハンドルロック機構の保持力は前記蓋体係合手段の係合が解除された時の前記蓋体の開放力よりも大きいことを特徴とする炊飯器。
【請求項２】
前記ハンドルロック機構は、前記蓋体に設けた蓋体係合部と前記ハンドルに設けたハンドル係合部からなることを特徴とする請求項１に記載の炊飯器。
【請求項３】
前記蓋体係合手段が不完全な係合状態であるとき、前記ハンドルロック機構をロックすることにより、前記蓋体係合手段が確実に係合されることを特徴とする請求項１又は２のいずれかに記載の炊飯器。
【請求項４】
前記ハンドルロック機構がロックした状態の時に、前記蓋体係合手段の係合が不完全な状態となっても、前記ハンドルロックを解除することで、前記蓋係合手段が確実に係合することを特徴とする請求項１乃至３に記載の炊飯器。
【請求項５】
前記ハンドルロック機構により前記蓋体をロックした状態では、前記ハンドルの固定角度方向から前記本体を斜視した場合、前記蓋体開放ボタンが前記ハンドルに隠れるように構成されたことを特徴とする請求項１乃至４に記載の炊飯器。
【請求項６】
前記ハンドルロック機構により前記蓋体をロックした状態では、使用者から目視可能な前記ハンドルの位置に、表示部を形成したことを特徴とする請求項１乃至５に記載の炊飯器。
【請求項７】
前記ハンドルロック機構を金属部材で構成したことを特徴とする請求項１乃至６に記載の炊飯器。
【請求項８】
前記ハンドルロック機構により蓋体がロックされた状態の時、前記蓋体は通常の閉口状態よりも本体側に近接した状態となることを特徴とする請求項１乃至７に記載の炊飯器。
【請求項９】
前記ハンドルロック機構により蓋体がロックされた状態の時、前記ハンドルの一部が蓋開ボタンの押下を防止することを特徴とする請求項１乃至８に記載の炊飯器。
【発明の詳細な説明】
【技術分野】
【０００１】
本発明は、電機炊飯器の本体を開閉する蓋体に関するものであり、炊飯動作中の誤操作により、蓋体の開放を防止する構造に関する。
【背景技術】
【０００２】
従来から、炊飯器本体に設けられたヒンジ部に蓋体を取り付けることで、内釜を装着する本体の開口部を蓋体により開閉する炊飯器がある。
このような蓋体は、開口部を閉鎖している状態では、蓋体に設けたラッチが本体側のラッチ受け部に係合し、ヒンジ部に設けられた蓋体と本体の間に介在するヒネリバネによって、常に開放方向に付勢された状態で、本体に固定される。
そして、このような蓋体を開く場合は、蓋体もしくは本体側に設けた蓋開ボタンを押下することで、ラッチの係合状態を解除し、ヒネリバネによる蓋開放方向に働く付勢力により、蓋体が開く構造となっている（例えば、特許文献１参照）。
【先行技術文献】
【特許文献】
【０００３】
【特許文献１】特開２００７−２９４０２号公報
【発明の概要】
【発明が解決しようとする課題】
【０００４】
しかしながら、特許文献１記載の炊飯器は、炊飯動作中においても使用者が誤って蓋開ボタンに触れてしまった場合に、蓋体が開いてしまう可能性がある。
この場合、炊飯工程が完全に行われず炊飯米が生煮えになってしまうだけでなく、沸騰工程中に蓋体が開いた場合、使用者に蒸気がかかる恐れがある。
特に、炊飯中に釜内を加圧する機能を持った炊飯器においては、釜内が高圧な状態の時に蓋体を開くと、内釜内部から蒸気が吹き出して、使用者にやけど等を負わせる恐れがある。
【０００５】
そこで本発明は、上記のような課題を解決するためのものであり、使用者が炊飯工程中に誤って蓋体を開くことがなく、安全に調理を完了することが可能な炊飯器を提供することを目的とする。
【課題を解決するための手段】
【０００６】
本発明にかかる炊飯器は、内部に加熱手段を有し、上面に形成された開口から内釜を出し入れ可能に収容する本体と、前記本体に軸支され前記開口を開閉する蓋体と、前記蓋体が前記開口を閉じた状態で前記本体に係合する蓋体係合手段と、前記蓋体係合手段を解除する蓋体開放ボタンと、前記本体に回動自在に軸支されたハンドルを有し、前記蓋体が前記開口を閉じた状態で、前記ハンドルで前記蓋体をロックすることで、蓋体の開放を抑止するハンドルロック機構を備え、前記ハンドルロック機構の保持力は前記蓋体係合手段の係合が解除された時の前記蓋体の開放力よりも大きくすることにより、課題を解決する。
【発明の効果】
【０００７】
以上のように各部を構成した炊飯器であれば、ハンドルにより蓋体をロックするため、炊飯工程中に使用者が誤って蓋開ボタンを押下した場合でも、蓋体が開くことなく、安全に調理を完了させることが可能となる。
【図面の簡単な説明】
【０００８】
【図１】実施の形態１における炊飯器の斜視図
【図２】実施の形態１における炊飯器の断面図
【図３】実施の形態１における炊飯器のハンドル収納時の側面図
【図４】実施の形態1における炊飯器のハンドルロック時の側面図と蓋体係合部とハンドル係合部が係合した状態を示す図である。
【図５】実施の形態１におけるハンドルの斜視図
【図６】実施の形態１におけるハンドルに形成されたハンドル係合部の拡大斜視図
【図７】実施の形態１におけるハンドルロック時のハンドル固定方向からの斜視図
【図８】実施の形態１における蓋体閉時におけるラッチ係合部の詳細図
【図９】実施の形態１における蓋体開時におけるラッチ係合部の詳細図
【図１０】実施の形態１におけるラッチが不完全な状態で係合している時のラッチ係合部の詳細図
【図１１】実施の形態１におけるラッチが不完全な状態で係合している時にハンドルロックを解除した際のラッチの再係合の動きを示した図
【図１２】実施の形態１におけるハンドルロック状態におけるラッチ係合部の動きを示した図
【図１３】実施の形態１におけるハンドル係合部と蓋体係合部の係合関係を示す図ａ
【図１４】実施の形態１におけるハンドル係合部と蓋体係合部の係合関係を示す図ｂ
【図１５】実施の形態１におけるハンドル係合部と蓋体係合部の係合関係を示す図ｃ
【図１６】実施の形態１におけるハンドル係合部と蓋体係合部の係合関係を示す図ｄ
【図１７】本発明の実施の形態２における炊飯器の、ハンドルロック時の側面図
【発明を実施するための形態】
【０００９】
実施の形態１
以下、図面を参照しながら本発明の実施の形態１を説明する。
図１、図２を参照すると、炊飯器１は、内釜５を収納するための開口部９ａが形成された本体９と、この開口部９ａを開閉する蓋体７から構成されている。本体９の底部には、内釜５を加熱する加熱手段１１が設けられている。
本体９内部の前側には、操作手段１４と、この操作手段１４からの信号を受けて加熱手段１１を制御する制御手段１２が設けられている。
【００１０】
操作手段１４には、時間表示やメニュー表示等の表示部を備えた表示手段と、発音部を有する報知手段が設けられている。
本体９の前面には、操作キー１３ａを配置した操作パネル１３が設けられている。この操作キー１３ａを操作することで、操作手段１４から信号を発信して、タイマーセット、メニュー選択、時計セット、炊飯スタート、各種操作の取消、保温等の操作が可能となっている。
【００１１】
図２及び図８〜１２を参照すると、本体９の前位置には、後述する蓋体７の前面下方に位置する略Ｌ字状の蓋体７の本体への係合手段であるラッチ２と対向する位置に、ラッチ受け部３が設けられている。
このラッチ受け部３は、本体９の前方に開口しており、ラッチ２と係合する係合部３ｂと、上方から降りてきて接するラッチ２を前方側に押すことで係合し易くするためのテーパー部３ａを有する。
ラッチ受け部３は、前方側からラッチ２を受け入れ、ラッチ受け部の係合部３ａが上側、ラッチ２の係合部２ａが下側となる。尚、ラッチ２とラッチ受け部３の係合状態の詳細は、後述する。
【００１２】
図２を参照すると、本体９の後部には、ヒネリバネ６を有するヒンジ部１５が設けられており、蓋体７が回動自在に軸支されている。このヒネリバネ６は、蓋体７と本体９との間に介在して位置し、蓋体７に対して、常に開口部９ａが開放する方向へテンションを加えている。
【００１３】
図３〜図７を参照すると、本体９には、略Ｕ字形状のハンドル２３が回動自在に取付られている。このハンドル２３は、一対のアーム部２３ａと、この各アーム部２３ａを繋ぐ持ち手部２３ｂと、各アーム部２３ａの短側に形成された取付軸部２３ｃから構成されている。
そして、このハンドル２３は、本体９のぞれぞれの側部に、取付軸部２３ｃを嵌合することにより、持ち手部２３ｂが、蓋体７が閉じた状態の本体上方を、取付軸部２３ｃを中心に回動するように構成されている。
また、本体９の後面には、ハンドル２３の後方への回動を停止させるためのストッパー２４が設けられている。
【００１４】
また、ハンドル２３が、可動範囲の一番前側に位置する状態（後述するハンドル２３が蓋体７をロックした状態）では、ハンドル２３の固定角度方向（図４のＢ方向）から本体９を斜視した場合、蓋体７に設けられる蓋開ボタン４が、前記ハンドル２３によって隠れるように構成されている。
更に、ハンドル２３の前面には、これらの機構の機能説明や使用上の注意などを認識させるための表示手段２８が設けられている。
【００１５】
そして、ハンドル２３の両アーム部２３ａの本体側には、アーム部の表面から凹部を形成することより、ハンドル係合部２６が設けられている。
尚、このハンドル係合部２６は、後述する蓋体７の側部に凸部を形成することにより設けられる蓋体係合部２７と係合する部位であり、ハンドル係合部２６と蓋体係合部２７と共にハンドルロック機構を構成している。両部材の係合状態・形状の詳細は後述する。
【００１６】
次に、図２を参照すると、蓋体７は、蓋体７の上側外郭をなす上蓋１８と、上蓋１８の下側に設けられる下蓋１７と、後述する蓋保温ヒータが発生する熱を放熱することで内釜内部の保温を行う放熱板１９により構成されている。
下蓋１７は、係合及びネジ等によって上蓋１８に固定されている。放熱板１９は、下蓋１７に設けた放熱板係止片（図示せず）によって固定されている。
下蓋１７には、放熱板１９に熱を付与する蓋保温ヒータ（図示せず）を備えた仕切り板２１が固定される他、圧力調整弁２０を機械的に閉栓・開栓して、内釜内の加圧、開放を切換える圧力調整手段２５を配置する。
【００１７】
放熱板１９には、鋼球によって蒸気抜け穴を閉塞する方式の圧力調整弁２０と、スプリングにより、弁体を密着させ蒸気抜け穴を塞ぐ方式の安全弁（図示せず）が設けられている。
また、この放熱板１９には、蓋体１７が開口部９ａを塞ぐ時に、内釜５との気密性を保つ蓋パッキン２２が設けられている。このパッキン２２は、炊飯工程中に圧力調整手段２５の作動によって釜内が高圧となっても、内釜内部から蒸気漏れが発生しないようにシールするためのものである。
【００１８】
次に、上蓋１８に形成された開口１８ａには、この開口を出没自在に配置された蓋体７を開放するための蓋開ボタン４を備えられ、蓋体７の前面下方には、蓋開ボタン４の動きに連動する略Ｌ字形状のラッチ２が設けられている。
次に、図８〜１２を参照すると、ラッチ２は、ラッチ受け部３と係合する蓋体内方に延出する係合部２ａと、このラッチ２を蓋体７に対して回転自在に軸支する軸部２ｂと、軸部２ｂに設けられラッチ２を所定のバネ力で常にラッチ受け部３との係合方向へテンションが加えるヒネリバネ（図示せず）を有する。
【００１９】
次に、蓋体７が本体開口部９ａを開閉する際の本体９への蓋体係合手段であるラッチ２とラッチ受け部３の関係を各状態に分けて説明する。
（１）蓋体７が開いている状態から本体９に閉まる場合
図１２を参照すると、蓋体７が開口部９ａを閉める方向に動かされることにより、ラッチ２がラッチ受け部３に接触する。このとき、ラッチ２の係合部２ａは、ラッチ受け部３のテーパー部３ａに接触しながら下方へ移動することで、ヒネリバネから作用するバネ力に抗して、前方に押圧される。
そして、テーパー部３ａをラッチの係合部２ａが乗り越えることで、ラッチ受け部の係合部３ｂの下側にラッチ２の係合部２ａが入り込み、ラッチ２とラッチ受け部３が係合される。
尚、ラッチ２とラッチ受け部３が係合する位置より、更に下方向にラッチ２の係合部２ａが移動できる係りしろΔｄを設けることで、ラッチ２とラッチ受け部３がスムーズに係合可能に構成されている。
【００２０】
（２）蓋体７が閉じている状態
図８を参照すると、蓋体７が開口部９ａ閉じている位置において、ラッチ受け部３とラッチ２の係合部２ａが、上下の位置関係で係合して、蓋体７が本体９に固定される。
尚、この状態において、蓋体７は、ヒンジ部１５に設けられているヒネリバネにより、開放方向にテンションが作用しているので、ラッチ受け部３の係合部３ｂに対してラッチ２の係合部２ａが、上方向に付勢した状態となる。
【００２１】
（３）蓋体７が閉じている状態から開く場合
図９を参照すると、蓋体を開放する場合は、蓋開ボタン４を押下する動作に連動して、ラッチ２が軸２ｂを中心に回動し、係合部２ａがラッチ受け部３の下側から前方へ退避することで、ラッチ受け部３との係合が解除され、蓋体７が開放可能になる。
そして、蓋体７に作用するヒンジ部１５に設けられたヒネリバネのテンションで、蓋体７が開く。
【００２２】
次に、図５及び図１３〜図１６を参照して、本体９に回転自在に設けられたハンドル２３に形成されたハンドル係合部２６と蓋体７の側部に設けられた蓋体係合部２７の形状と、係合関係を詳述する。
尚、図１３〜図１６は、本体１の側方から見た図であり、点線で示されている部分は、アーム２３ａに隠れる部分である。また、図中の一点破線Ｌは、ハンドル２３が動く時に後述するハンドル係合部２６の先端部２６ａが通る軌跡を示している。
【００２３】
図１３は、蓋体７が本体９に閉まっている状態において、ハンドル係合部２６と蓋体係合部２７が係合する前であって、両部材が互いに離れた状態を示した図である。
ハンドル２３の両アーム部２３ａの本体側には、アーム部に凹部を形成することより、ハンドル係合部２６が設けられている。
【００２４】
ハンドル係合部２６は、蓋体係合部２７と係合状態の時、蓋体係合部２７の蓋体７開放方向側を保持する開放側保持部２６ａと、蓋体係合部２７の前側を保持する前側保持部２６ｂと、この前側保持部２６ｂの先端に位置し、蓋体係合部２７と係合する時に、蓋体係合部２７を押圧する先端部２６ｃを有し、蓋体係合部２７を受け入れる開口部２６ｄが形成されている。
【００２５】
次に、蓋体７の両側部には、側部から突出する凸部を形成することにより蓋体係合部２７が設けられている。
この蓋体係合部２７は、ハンドル係合部２６と係合状態の時に、開放側保持部２６ａに保持される開放側被保持部２７ａと、前側保持部２６ｂに保持される前側被保持部２７ｂと、ハンドル係合部２６と係合する時に、先端部２６ｃに押圧される被押圧部２７ｃを有する。
【００２６】
この様に、ハンドル係合部２６と蓋体係合部２７の位置関係は、蓋体７が本体９に閉じられている状態において、ハンドル２３をハンドル係合部２６と蓋体係合部２７が係合する方向に動かした場合に先端部２６ｃが描く軌跡Ｌの外側に、蓋体係合部２７の一部がはみ出す状態となる位置関係である。
【００２７】
次に、図１４は、蓋体７が本体９に閉まっている状態において、ハンドル係合部２６と蓋体係合部２７が係合する前であって、先端部２６ｃが蓋体係合部２７に接触した状態を示した図である。
この状態において、ハンドル係合部２６と蓋体係合部２７を係合させる為に、ハンドルを炊飯器の前側（図中、Ｒ方向）に移動すると、先端部２６ｃが描く軌跡Ｌの外側に、蓋体係合部２７の一部がはみ出す状態なので、先端部２６ｃと蓋体係合部２７の被押圧部２７ｃが接触する。
尚、この状態において、本体９と蓋体７との間をΔＸ１の間隔を明けて、ラッチ２とラッチ受け部３の係合により、蓋体７が本体に閉じられている（図７の状態）。
【００２８】
次に、図１５は、蓋体７が本体９に閉まっている状態において、ハンドル係合部２６と蓋体係合部２７が係合する前であって、先端部２６ａが蓋体係合部２７に接触して、更にハンドル２３をハンドル係合部２６と蓋体係合部２７が係合する方向Ｒに、動かしている状態を示した図である。
この状態において、蓋体７は、ラッチ２とラッチ受け部３の係合により、本体開口部を閉じた状態であるが、ラッチ２がラッチ受け部３の係合時に、両部位がスムーズに係合するように、ラッチ２とラッチ受け部３との間には、係りしろΔｄを設定している（図１１参照）。
【００２９】
これにより、ラッチ２がラッチ受け部３の係合により蓋体７が閉じている状態でも、係りしろΔｄの分だけ、更に、蓋体７が本体９側に押し込むこと（近づけること）が可能である。
従って、ハンドル２３をハンドル係合部２６と蓋体係合部２７が係合する方向に動かすことにより、ハンドル係合部２３の先端部２６ａが蓋体係合部２７の被押圧部２７ｃを押し下げ、蓋体７が本体９側に押し込まれる。（この時、蓋体７と本体９との間隔がΔＸ２に狭まる（ΔＸ１＞ΔＸ２）。）
これにより、軌跡Ｌの外側にはみ出していた蓋体係合部２７は、軌跡Ｌの内側に押し込まれるので、先端部２６ａが被押圧部２７ｃを乗り越え、ハンドル係合部２６と蓋体係合部２７は係合される。
【００３０】
図１６は、蓋体７が閉まっている状態において、ハンドル係合部２６と蓋体係合部２７が係合した状態を示した図である。
この状態において、蓋体係合部２７は、ハンドル係合部２６の開放側保持部２６ａと前側を保持する前側保持部２６ｂに保持されることで、ハンドル係合部２６と蓋体係合部２７の係合状態が保たれている。
【００３１】
また、ハンドル係合部２６と蓋体係合部２７の係合過程で一度ΔＸ２に狭まった蓋体７と本体９との間隔は、蓋体７が、ヒンジ部１５に設けられたヒネリバネのバネ力で、ラッチ２とラッチ受け部３の係合位置まで戻ることで、ΔＸ１に戻る。
この時、蓋体７と本体９との間隔がΔＸ１に戻ることで、蓋体係合部２７の一部は、軌跡Ｌの外側にはみ出す位置となり、ハンドル係合部２６と蓋体係合部２７の係合が強固になる。
以上のように、ハンドル係合部２６と蓋体係合部２７により、蓋体７の開放を抑止するハンドルロック機構が構成され、両部位の係合により、蓋体７にハンドルロックが作用する。
【００３２】
次に、ハンドルロック中に、蓋開ボタン４を誤操作した状態を説明する。
ハンドル２３が蓋体７をロック状態の時に、蓋開ボタン４が押下された場合、ラッチ２は、開放方向に可動しラッチ受け部３との係合は解除されるが、ハンドル２３が蓋体７をロックしているので、蓋体７は開放されない状態となる。
このとき、ラッチ２はラッチ受け部３の係合部３ｂではない、不完全な位置に接した状態となる（図１０参照）。
【００３３】
この状態からハンドル２３の蓋体７へのハンドルロックを解除、つまり、ハンドル係合部２６と蓋体係合部２７の係合を解除すると、解除動作の過程でハンドル係合部２６の先端部２６ａが、蓋体係合部２７を乗り越える際の反力で、先端部２６ａが蓋体係合部２７を押圧して、蓋体７が本体側に押されることになる。
このとき、図１１を参照すると、蓋体７と本体９の間隔がΔＸ２まで狭まると同時に、不完全な状態でラッチ受け部３に接しているラッチ２は、下方向に移動し、ラッチ２に設けられたネジリバネのバネ力で、ラッチ受け部３に係合する。
【００３４】
以上のように各部を構成することで、蓋体７が本体９を閉めた状態のとき、ハンドル２３をストッパー２４の位置である収納位置からＡの方向へ回動させると、ハンドル係合部２６と蓋体係合部２７が交叉して係止することで、ハンドル２３により蓋体７をロックする。
これにより、使用者が誤って蓋開放ボタンを操作しても、ハンドル２３により蓋体７がロックされているので、蓋体７の不意の開放を抑止することが可能となる。
【００３５】
特に、ハンドル係合部２６と蓋体係合部２７の係合過程で、ラッチ２とラッチ受け部３の係りしろΔｄを用いて、蓋体７と本体９の間隔をΔＸ２に狭め、後にヒンジ部１５に設けたヒネリバネのテンションを用いて、蓋体７と本体９の間隔をΔＸ１に広げることで、ハンドル係合部２６と蓋体係合部２７の係合を行う、つまり、蓋体７に作用するヒネリバネのテンションを用いて係合を行うので、ハンドルロックの蓋が開放する力に対する保持力をより強くすることが可能となる。
【００３６】
更に、ハンドルロックを解除するとき、一度、蓋体７と本体９の間隔をΔＸ２に狭まるので、ハンドル２３が蓋体７をロックした状態で、誤使用等によりラッチ２とラッチ受け部３の係合が解除されている状態でも、ハンドル２３の蓋体７へのロック解除する際に、ラッチ２が下方へ動き、再度ラッチ２がラッチ受け部３に係合して、蓋体が閉まった状態に再保持する。
従って、使用者が誤って蓋開放スイッチを押しても、蓋体の開放を抑止できると共に、誤使用状態から安全に蓋体を開放することができる。
【００３７】
更に、図７に示すように、ハンドル２３がロック状態の時に、蓋開ボタン４がハンドル２３によって隠れるように構成されているので、使用者は蓋開ボタンを押下する前にハンドルロックを解除する可能性が高くなり、ハンドルロック機能の有効性が高まる。
【００３８】
更に、前記ハンドル２３の前面にこれらの機構の機能説明や使用上の注意などを認識させるための表示手段２８を設けることによって、使用者がハンドルロック機構の機能の意義を理解しやすく有効である。
【００３９】
更に、本実施の形態では、ハンドル係合部２６と蓋体係合部２７は、それぞれハンドル２３や蓋体７に一体に形成されているが、これらの部位を別部材として金属により形成しても良い。
このように、ハンドル係合部２６と蓋体係合部２７を金属により形成することにより、開閉の都度、係合と解除が繰り返される当該部位の耐久性を向上することが可能となる。
【００４０】
更に、本実施の形態では、蓋体７が閉まっている状態で、ハンドル係合部２６と蓋体係合部２７が係合して、蓋体７がハンドル２３によりロックされた状態（図１６の状態）では、蓋体７が閉まっている状態で、ハンドル係合部２６と蓋体係合部２７が係合する前の状態（図１３の状態）と同じ蓋体７と本体９の間隔（ΔＸ１）となっている。
【００４１】
この様な形態に加え、ハンドル係合部２６と蓋体係合部２７の係合位置を実施の形態１での係合位置より前側にすることで、ハンドルロック時の蓋体７と本体９の間隔がΔＸ１より狭い間隔ΔＸ３となるようにしてもよい（ΔＸ１＞ΔＸ３＞ΔＸ２）。
このように構成することで、蓋体開放スイッチの誤操作による不意の開放を防止できると共に、蓋体７の本体９と蓋体７との間隙が通常の閉止状態の間隔（ΔＸ１）よりも小さいので、この本体９と蓋体７との間隙からの放熱が抑制され、炊飯器の断熱性が向上し、省エネルギー化が可能となる。
【００４２】
尚、本実施の形態において、ハンドル２３のロック位置は、ハンドル２３の軸部を通るほぼ垂直起立線Ｃを超えた位置となっているが、垂直起立線上や垂直起立線Ｃを越えない位置で蓋体７をロックしてもよい（図４参照）。
【００４３】
実施の形態２．
図１７は、実施の形態２における炊飯器のハンドルロック時の側面図である。尚、実施の形態１と同一または相当部分については同じ符号を付し、説明を省略する。
ハンドル２３は、ロック位置では持ち手部２３ｂが蓋開ボタン４にほぼ接する位置で固定されている。これによって、蓋開ボタン４は前記ハンドルによって保護され、使用者は炊飯時に蓋開ボタンに触れることができないため、誤って蓋体７が開いてしまうことがない。
【００４４】
以上のように各部を構成すれば、蓋開ボタンはより安全な方法で保護され、使用者の誤操作による蓋の開放を防いで安全に調理を完了することが出来る。これに加え、誤作動により蓋が開放されても、ハンドルが蓋の開放を阻止することが可能となる。
【符号の説明】
【００４５】
１  炊飯器
２  ラッチ
３  ラッチ受け部
４  蓋開ボタン
６  ヒネリバネ
７  蓋体
９  本体
１５  ヒンジ部
２３  ハンドル
２６  ハンドル係合部
２７  蓋体係合部
２８  表示手段
【図１】
2010246641.tif 000003
【図２】
2010246641.tif 000004
【図３】
2010246641.tif 000005
【図４】
2010246641.tif 000006
【図５】
2010246641.tif 000007
【図６】
2010246641.tif 000008
【図７】
2010246641.tif 000009
【図８】
2010246641.tif 000010
【図９】
2010246641.tif 000011
【図１０】
2010246641.tif 000012
【図１１】
2010246641.tif 000013
【図１２】
2010246641.tif 000014
【図１３】
2010246641.tif 000015
【図１４】
2010246641.tif 000016
【図１５】
2010246641.tif 000017
【図１６】
2010246641.tif 000018
【図１７】
2010246641.tif 000019